(57)【要約】【課題】アナログ時計の時針は、文字盤を１日に２周することで現在の時刻を表示するが、アナログ時計から昼夜や午前と午後を判別するのが困難である。そこで、時針の色や絵、模様を昼夜や午前と午後で変化させ、時針を見るだけで直感的に昼夜や午前と午後の判別ができる時計を提供する。高齢による時間の観念を失ったり判断力が低下した人や、頻繁に海外に出掛ける人にとって、アナログ時計から直感的に昼夜や午前と午後の判断ができることは有益である。【解決手段】昼夜や午前と午後を示す着色面や絵、模様をもつ回転円板３を１日で１周回転させ、それの前面に重ねて設置した回転円板５を１日で２周回転させる。回転円板５には、時針型の貫通孔６を設け、貫通孔６の位置で時刻が分かり、貫通孔６を通して見える回転円板３の着色面や絵、模様により昼夜や午前と午後の判別ができる。【選択図】図１
2013054022.tif 000002
【特許請求の範囲】
【請求項１】
時計駆動部の時針軸に取り付けた回転円板と、時計駆動部の１日で１周する軸に取り付けた昼夜の変化を示す着色面や絵、模様を描いた回転円板とを重ねて設置し、時間軸に取り付けた回転円板に時針に見立てた貫通孔を設け、１日で１周する軸に取り付けた回転円板の昼夜を示す着色面や絵、模様がその孔を通して表示されるようにしたことを特徴とする時計である。
【請求項２】
時計駆動部の時針軸に取り付けた回転円板と、時計駆動部の１日で１周する軸に取り付けた午前と午後の変化を示す着色面や絵、模様を描いた回転円板とを重ねて設置し、時間軸に取り付けた回転円板に時針に見立てた貫通孔を設け、１日で１周する軸に取り付けた回転円板の午前と午後の変化を示す着色面や絵、模様がその孔を通して表示されるようにしたことを特徴とする時計である。
【発明の詳細な説明】
【技術分野】
【０００１】  本発明は時針の色や絵、模様を昼夜もしくは午前と午後で変化させ、一般的なアナログ時計の外観でありながら、時計の時針の様子を一目見て現在が昼なのか夜なのかもしくは午前なのか午後なのかを判別できる時計である。
【背景技術】
【０００２】  一般にアナログ時計は時計背面にムーブメントと呼ばれる時計駆動部を持ち、その駆動部から前面に突き出た時針軸に時針を取り付け、分針軸に分針を取り付けた構造になっている。【０００３】  時計前面には文字盤と呼ばれる板が設置されており、指針が円周上に通過する箇所に１から１２の数字や記号、マークが文字盤を１２等分するように配置され、時針、分針の位置を正確に知ることができるようになっている。このとき、時針が１２時間で文字盤上を１周するため、正確な時刻はすぐに理解できるが、その指し示す時刻が昼間の時刻を示すものなのか夜間の時刻を指すものなのか、または午前の時刻か午後の時刻かをアナログ時計から判別するのは困難である。【０００４】  この問題を解決するため、これまでさまざまな機構がアナログ時計に取り入れられてきた。例１としては、昼夜表示窓を文字盤に設けた時計である。その窓から昼間には太陽等が夜間には月等が表示され、昼夜や午前午後を判別する方法である。また例２としては、２４時間針と呼ばれる１日に文字盤上を１周する指針を追加で設けた時計である。この２４時間針を使用すればアナログ時計から昼夜や午前午後の判別は可能である。
【発明の開示】
【発明が解決しようとする課題】
【０００５】  しかしながら、例１の場合では、昼夜表示窓を新たに設けるために文字盤上のデザインを変更しなければならないという欠点がある。また例２の場合、多くの人は一般的なアナログ時計から時刻を判断する方法に慣れており、２４時間針から時刻を判断することや、昼夜や午前午後を直感的に判断することは困難である。また、アナログ時計上の指針が増えることで構成が複雑になる欠点がある。【０００６】  そこで本発明の解決しようとする課題は、文字盤上に昼夜表示窓を設けたり２４時間針を追加で設けたりすることなく、時針の色や絵、模様を昼夜や午前午後で変化させることで、誰にでも簡単に、現在の時刻と現在が昼間なのか夜間なのか、もしくは午前か午後かが同時に理解でき、デザイン性にも優れたアナログ時計を提供するものである。
【課題を解決するための手段】
【０００７】  本発明の請求項１記載の時計は、時計駆動部の時針軸に取り付けた回転円板と、時計駆動部の１日で１周する軸に取り付けた昼夜を示す着色面や絵、模様を描いた回転円板とを重ねて設置し、時間軸に取り付けた回転円板に時針に見立てた貫通孔を設け、１日で１周する軸に取り付けた回転円板の昼夜を示す着色面や絵、模様がその孔を通して表示されるようにしたことを特徴とするものであり、この時針軸に取り付けた回転円板と１日で１周する軸に取り付けた回転円板との回転速度の差により、周期的に時針に見立てた貫通孔に表れる着色面や絵、模様が変化し、昼と夜の判別が瞬時に行えるものである。【０００８】  本発明の請求項２記載の時計は、請求項１記載の時計と同じ構成であるが、時針軸に取り付けた回転円板と１日で１周する軸に取り付けた回転円板との回転角度差を変更することで、昼間と夜間ではなく、午前と午後とで時針に見立てた貫通孔に表れる着色面や絵、模様が変化し、午前と午後の判別が瞬時に行えるものである。
【発明の効果】
【０００９】  以上説明した如く本発明の請求項１記載の時計によれば、文字盤上の分針、時針のシンプルな構成と、時針の色や絵、模様の変化により、誰にでも直感的に時刻と昼夜もしくは午前午後が同時に理解でき、デザイン性にも優れたアナログ時計が得られる。これは頻繁に海外にでかける人や、高齢による時間の観念を失ったり判断力が低下したりしている人にとって、有益な発明である。【００１０】  また、本発明の請求項２記載の時計によれば、時針の色や絵、模様から直感的に午前と午後を理解できるため、午前と午後の概念をまだ理解できていない子供の教育教材として利用できる。また、午前と午後がまったく判別できない環境下に設置する業務用時計等にも利用できる。
【発明を実施するための最良の形態】
【実施例１】
【００１１】  本発明の請求項１記載の時計の実施の一形態を図１ないし図２を参照して詳細に説明する。【００１２】  図１において、１は時計駆動部で一般的なアナログ時計の時針同様に１日で２周する時針軸に加え、１日に１周する軸を持っており、文字盤２の背面に設置されている。１日に１周する軸には、青空の絵や星空の絵など昼夜の変化を示す色や絵、模様を描いた回転円板３が取り付けられており、１日に１周の速さで回転する。時針軸には、時針に見立てた貫通孔を設けた回転円板５が取り付けられており、１日に２周の速さで回転する。この回転円板５には、短針に見立てた貫通孔６が設けられており、その孔を通して回転円板３を部分的に表示している。このとき、回転円板３上の４ａには昼間を示す着色面や絵、模様が描かれており、４ｂには夜間を示す着色面や絵、模様が描かれている。この回転円板３と回転円板５の回転速度の差により、時間の経過とともに短針に見立てた貫通孔に表れる回転円板３の昼夜の変化を示す絵や模様が変化し、誰にでも昼夜が瞬時に判別できる。また、本発明に分針７、秒針８を付加することもできる。【００１３】  図２に、各時刻での図１記載の貫通孔６に表れる回転円板３の昼夜を示す絵や模様を示す。なおここでは、説明を簡潔にするために午前６時から午後６時までの１２時間を昼間と表示し、午後６時から午前６時までの１２時間を夜間と表示する形態について説明するが、表示を変化させる時刻や回数は、本発明を利用する人や用途により自由に決定できる。【００１４】  図２の場面１０１は午前６時の表示である。貫通孔６は午前６時を示すように真下を向いており、昼夜を示す回転円板３は、４ａが左側、４ｂが右側と垂直に２分割されている状態であり、貫通孔６には４ａの昼間の表示と４ｂの夜間の表示の両方が見えている。【００１５】  図２の場面１０２は午前９時の表示である。午前６時から比較して回転円板５は時計回りに９０度回転し、回転円板３も時計回りに４５度回転しているため、貫通孔６に表れているのは４ａの昼間の表示である。【００１６】  図２の場面１０３は午後０時の表示である。午前９時から比較して回転円板５は時計回りに９０度回転し、回転円板３も時計回りに４５度回転しているため、貫通孔６に表れているのは４ａの昼間の表示である。【００１７】  図２の場面１０４は午後３時の表示である。午後０時から比較して回転円板５は時計回りに９０度回転し、回転円板３も時計回りに４５度回転しているため、貫通孔６に表れているのは４ａの昼間の表示である。【００１８】  図２の場面１０５は午後６時の表示である。午後３時から比較して回転円板５は時計回りに９０度回転し、回転円板３も時計回りに４５度回転している。このとき、場面１０５の午後６時は、場面１０１の午前６時と比較して回転円板５は時計回りに３６０度回転し、回転円板３は時計回りに１８０度回転しているため、貫通孔６の位置は午前６時も午後６時も同じであるが、午後６時の回転円板３の４ａの昼間表示の位置と４ｂの夜間表示の位置は午前６時と比べて逆になり、４ａの昼間の表示と４ｂの夜間の表示の両方が見えている状態である。【００１９】  図２の場面１０６は午後９時の表示である。午後６時から比較して回転円板５は時計回りに９０度回転し、回転円板３も時計回りに４５度回転しているため、貫通孔６に表れているのは４ｂの夜間の表示である。【００２０】  図２の場面１０７は午前０時の表示である。午後９時から比較して回転円板５は時計回りに９０度回転し、回転円板３も時計回りに４５度回転しているため、貫通孔６に表れているのは４ｂの夜間の表示である。【００２１】  図２の場面１０８は午前３時の表示である。午前０時から比較して回転円板５は時計回りに９０度回転し、回転円板３も時計回りに４５度回転しているため、貫通孔６に表れているのは４ｂの夜間の表示である。この３時間後は場面１０１の午前６時の表記にもどる。【００２２】  上記、図２の場面１０１から図２の場面１０８までの表示を連続的に繰り返すことで、昼夜で短針の色や絵、模様が変化する時計の動作を行うことができる。
【実施例２】
【００２３】  本発明の請求項２記載の時計の実施の一形態を図１ないし図３を参照して詳細に説明する。なお、回転円板３には、回転円板３と回転円板５の構造や回転動作は請求項１記載の時計と同様である。【００２４】  図３の場面２０１に午前０時を表示する請求項２記載の時計の正面図を示す。場面２０１に示すように、午前０時の時点で、貫通孔６から見える回転円板５の表示が、４ａが右側、４ｂが左側と垂直に２分割されている状態となるような、回転円板３と回転円板５の回転角度の位置関係としている。【００２５】  図３の場面２０２は午前６時の表示である。午前０時から比較して回転円板５は時計回りに１８０度回転し、回転円板３も時計回りに９０度回転しているため、貫通孔６に表れているのは、４ａの午前の表示である。【００２６】  図３の場面２０３は午後０時の表示である。午前６時から比較して回転円板５は時計回りに１８０度回転し、回転円板３も時計回りに９０度回転している。このとき、場面２０３の午後０時は、場面２０１の午前０時と比較して回転円板５は時計回りに３６０度回転し、回転円板３は時計回りに１８０度回転しているため、貫通孔６の位置は午前０時も午後０時も同じであるが、午後０時の回転円板３の４ａの午前の位置と４ｂの午後の表示の位置は午前０時と比べて逆になり、４ａの午前の表示と４ｂの午後の表示の両方が見えている状態である。【００２７】  図３の場面２０４は午後６時の表示である。午後０時から比較して回転円板５は時計回りに１８０度回転し、回転円板３も時計回りに９０度回転しているため、貫通孔６に表れているのは４ｂの午後の表示である。この６時間後は場面２０１の午前０時の表記にもどる。【００２８】  上記、図３の場面２０１から図３の場面２０４までの表示を連続的に繰り返すことで、午前と午後で短針の色や絵、模様が変化する時計の動作を行うことができる。【００２９】  なお、ここまでで説明した本発明の請求項１記載の時計の実施の一形態と本発明の請求項２記載の時計の実施の一形態においては、説明を簡潔にするために回転円板３の４ａと４ｂを２分割する形態で説明しているが、貫通孔６から４ａと４ｂが同時に見えることは、昼夜もしくは午前と午後の判別を混乱させる可能性があるため、４ａと４ｂの境界の色や模様を連続的に変化させたり、まったく他の色や模様を配することで、４ａと４ｂの境界が貫通孔６から見えたときの混乱を避け、デザイン的にも優れた時計とすることができる。
【産業上の利用可能性】
【００３０】  本発明は、アナログ式時計全般の時刻表示形態に関わるもので、壁掛け時計、置き時計、腕時計、ペンダント型時計、指輪型時計等に適用できる。
【図面の簡単な説明】
【００３１】
【図１】本発明の部品構成図
【図２】本発明の時針の色が昼と夜とで変わる様子を示す正面図
【図３】本発明の時針の色が午前と午後とで変わる様子を示す正面図
【符号の説明】
【００３２】１‥‥‥時計駆動部
２‥‥‥文字盤
３‥‥‥１日で一周する回転円板
４ａ‥‥１日で一周する回転円板の昼間または午前表示面
４ｂ‥‥１日で一周する回転円板の夜間または午後表示面
５‥‥‥時針回転円板
６‥‥‥時針回転円板に設けた時針に見立てた貫通孔
７‥‥‥分針
８‥‥‥秒針
【図１】
2013054022.tif 000003
【図２】
2013054022.tif 000004
【図３】
2013054022.tif 000005